(57)【要約】【課題】  本発明の課題は、検索者が登録されたブックマークを文字列検索することで、目的のブックマークにたどり着くことを実現するブックマーク機能を備えたＷＥＢブラウザを提供することである。【解決手段】  コンテンツページのＵＲＬと本文の複製を含んで構成されるストリング型ブックマークであって、このストリング型ブックマークを所定の記憶領域に登録するストリング型ブックマーク登録手段と、検索文字列を受付けて、前記ストリング型ブックマークから前記検索字列を本文に含むコンテンツページを検索して、結果を表示するストリング型ブックマーク検索手段と、コンテンツページのＵＲＬと本文の複製を記録する記憶手段と、を備えたＷＥＢブラウザとして機能する一連の命令を含んだコンピュータプログラムである。【選択図】  図１
2006252313.tif 000002
【特許請求の範囲】
【請求項１】
コンテンツページのＵＲＬとそのコンテンツページの本文の複製を含んで構成されるストリング型ブックマークを、所定の記憶領域に登録・記録するストリング型ブックマーク登録手段と、
検索文字列を受付けて、前記ストリング型ブックマークに登録されている情報から前記検索字列を本文に含むコンテンツページを検索してその結果を表示するストリング型ブックマーク検索手段と、
コンテンツページのＵＲＬとそのコンテンツページの本文の複製を記録する記憶手段と、
を備えたＷＥＢブラウザとして機能する一連の命令を含んだコンピュータプログラム。
【請求項２】
前記ストリング型ブックマーク登録手段は、テーマ名を付けて、テーマ名毎に複数の少なくともコンテンツページのＵＲＬとタイトルと本文を、前記記憶手段に複写して登録する、
前記ストリング型ブックマーク検索手段は、検索文字列を指定すると、その文字列をテーマ名に含む前記登録されたコンテンツページ、または、その文字列をタイトルに含む前記登録されたコンテンツページ、または、その文字列を本文に含む前記登録されたコンテンツページを検索して表示する、
ことを特徴とする請求項１に記載のＷＥＢブラウザとして機能する一連の命令を含んだコンピュータプログラム。
【請求項３】
請求項１、または、請求項２に記載のプログラムを記録したコンピュータ読取り可能な記録媒体。
【発明の詳細な説明】
【技術分野】
【０００１】
本発明は、インターネットのＷＥＢサイトに存在するコンテンツ・ページに、何度もアクセスする場合に、インターネット・アドレス（ＵＲＬ）をブックマークとして登録することで、次回のアクセスでは、簡単な操作で、到達することができるブックマーク機能を備えたＷＥＢブラウザに関するものである。
【０００２】
なお、ＵＲＬとは、Uniform Resource Locatorの略称表記で、インターネット上に存在するコンテンツ・ページ（たとえば、ＷＥＢサイトに格納されているＨＴＭＬ頁やレイアウト済み文書ページ）の場所を指し示す記述方式であって、インターネットにおける情報の「住所」にあたる。ＵＲＬの構成は、ＵＲＬと付属情報である情報の種別、サーバ名、ポート番号、フォルダ名、ファイル名などである。
【背景技術】
【０００３】
従来、登録されたブックマークを使って、所望のコンテンツに到達するためには、一覧表で管理されたブックマーク一覧を目で追って、所望のブックマークを探していた。
【０００４】
たとえば、ブックマークに、参照日時および参照回数を記録し、ブックマークを参照時間順、参照頻度順またはアドレス名のアルフアベツト順に並び替えて、ブックマークの読み易さを向上させる技術が開示されている。（従来技術１）
【特許文献１】特願平１０−３３４１２０号公報（７−１０頁、図８２）また、ブックマーク情報に、閲覧文書に関連する文書の連鎖情報テーブルを設けて、関連性の高い文書情報の提供を支援する技術が開示されている。（従来技術２）
【特許文献２】特開平１１−２９６５２９号公報（３−５頁、図１−６）
【発明の開示】
【発明が解決しようとする課題】
【０００５】
しかし、従来技術１では、よく利用するブックマークは、上位に表示されて参照しやすくなるが、あまり利用されない情報には、即座にアクセスすることが出来にくくなるという欠点がある。また、従来技術２は、ブックマークの関連性は、視覚的には一目瞭然であるが、関連性をつける作業に負荷がかかるという欠点がある。また、従来技術１、および、従来技術２は、ブックマーク操作者が、ブックマークを自ら指定して、その内容を表示閲覧させて、目視確認をする必要があるために、確認作業の手間と目視確認時間を要するという欠点があった。
【０００６】
本発明はこのような従来技術を考慮してなされたものであって、本発明の課題は、検索者が登録されたブックマークを文字列検索することで、目的のブックマークにたどり着くことを実現するブックマーク機能を備えたＷＥＢブラウザを提供することである。
【課題を解決するための手段】
【０００７】
本発明は、以下のような解決手段により、前記課題を解決する。すなわち、請求項１の発明は、コンテンツページのＵＲＬとそのコンテンツページの本文の複製を含んで構成されるストリング型ブックマークであって、このストリング型ブックマークを所定の記憶領域に記録することによりコンテンツページをストリング型ブックマークに登録するストリング型ブックマーク登録手段と、検索文字列を受付けて、前記ストリング型ブックマークに登録されている情報から前記検索字列を本文に含むコンテンツページを検索してその結果を表示するストリング型ブックマーク検索手段と、コンテンツページのＵＲＬとそのコンテンツページの本文の複製を記録する記憶手段と、を備えたＷＥＢブラウザとして機能する一連の命令を含んだコンピュータプログラムである。
【０００８】
請求項２の発明は、前記ストリング型ブックマーク登録手段は、テーマ名を付けて、テーマ名毎に複数の少なくともコンテンツページのＵＲＬとタイトルと本文を、前記記憶手段に複写して登録する、前記ストリング型ブックマーク検索手段は、検索文字列を指定すると、その文字列をテーマ名に含む前記登録されたコンテンツページ、または、その文字列をタイトルに含む前記登録されたコンテンツページ、または、その文字列を本文に含む前記登録されたコンテンツページを検索して表示する、ことを特徴とする請求項１に記載のＷＥＢブラウザとして機能する一連の命令を含んだコンピュータプログラムである。
【０００９】
請求項３の発明は、請求項１、または、請求項２に記載のプログラムを記録したコンピュータ読取り可能な記録媒体である。
【発明の効果】
【００１０】
本願発明によれば、ブックマーク登録者が、情報の内容を吟味判断して、ブックマークを登録しているので、情報検索の結果が絞り込まれて、情報検索の内容が充実して、検索結果のヒット率が高く、ブックマーク検索の精度が向上する。また、ブックマーク操作者が、ブックマークを文字列検索することで、登録したブックマーク情報を全て検索対象にするので、ブックマークの分類などの特別な関連情報を追加する作業が不要となり、ブックマーク登録作業の負荷が軽減される。また、全てのブックマークを文字列検索してコンテンツ・ページを表示閲覧させるので、目視で選択することによる見落としが無くなり、検索結果の品質が向上する。また、ブックマークを選択する作業が不要となるので、検索作業の負荷が軽減されて、作業能率が向上する。
【発明を実施するための最良の形態】
【００１１】
以下、図面等を参照しながら、本発明の実施の形態について、更に詳しく説明する。図１は、本発明によるストリング型ブックマーク機能を備えたＷＥＢブラウザの構成図である。ストリング型ブックマーク機能を備えたＷＥＢブラウザ１００は、インターネットを介して、ＷＥＢシトと接続されている。ストリング型ブックマーク機能を備えたＷＥＢブラウザ１００は、ストリング型ブックマーク登録手段１０１、ブックマーク登録検査手段１０２、ストリング型ブックマーク検索手段１０３、ブックマーク呈示手段１０４、テーマ名変更手段１０５、コンテンツ・ページ削除手段１０６、ＷＥＢブラウザ１０７、記憶手段１１０を備える。また、記憶手段１１０には、ブックマーク・ファイル１１２ａとコンテンツ・ファイル１１２ｂを記憶する。
【００１２】
ブックマーク・ファイル１１２ａは、ブックマークに付けたテーマ名と、ＷＥＢサイトから取得したコンテンツ・ページのＵＲＬと、コンテンツ・ページのタイトルを含んだ複数のブックマーク・データを記憶する。コンテンツ・ファイル１１２ｂは、ブックマークしたコンテンツ・ページの本文を含んで保存される。
【００１３】
ＷＥＢブラウザ１０７は、ＵＲＬを用いて、ＷＥＢサイトからコンテンツ・ページを取得して表示する。
【００１４】
ストリング型ブックマーク登録手段１０１は、ストリング型ブックマークのテーマ名とＷＥＢサイトのコンテンツ・ページが持つＵＲＬとコンテンツ・ページ・タイトルを含んだブックマーク・データを作成して、ブックマーク・ファイル１１２ａに蓄積する。ストリング型ブックマーク登録手段１０１は、ＵＲＬを用いて取得したコンテンツ・ページの本文データをコンテンツ・ファイル１１２ｂに複製して蓄積する。
【００１５】
ブックマーク登録検査手段１０２は、前記取得したコンテンツ・ページが持っているＵＲＬとテーマ名をＡＮＤキーにして、前記ブックマーク・ファイル１１２ａを参照して、前記キーと同じテーマ名のＵＲＬが存在すれば、ブックマーク登録済みの検査結果を報告する。
【００１６】
ブックマーク呈示手段１０４は、ブックマーク・ファイル１１２ａから、テーマ名とコンテンツ・ページ・タイトルとを呼び出して、表示する。コンテンツ・ページ削除手段１０６は、ＵＲＬとコンテンツ・ページ・タイトルとコンテンツ・ページの本文データを削除する。テーマ名変更手段１０５は、前記ブックマーク・ファイル１１２ａの中から選択されたテーマ名を変更する。記憶手段１１０は、ブックマーク・ファイル１１２ａとコンテンツ・ファイル１１２ｂとを記憶する。
【００１７】
ストリング型ブックマーク検索手段１０３は、検索文字列が指定されると、前記検索文字列を含むテーマ名や前記検索文字列を含むコンテンツ・ページ・タイトルや前記検索文字列を含む本文を検索して、表示する。
【００１８】
ＷＥＢブラウザ１０７、ストリング型ブックマーク登録手段１０１、ブックマーク登録検査手段１０２、ストリング型ブックマーク検索手段１０３、ブックマーク呈示手段１０４、テーマ名変更手段１０５、コンテンツ・ページ削除手段１０６は、コンピュータ・プログラムである。記憶手段１１０は、メモリー装置である。ブックマーク・ファイル１１２ａとコンテンツ・ファイル１１２ｂは、データである。
【００１９】
図２は、ストリング型ブックマークのデータ構造図である。ブックマーク・ファイル１１２ａは、複数のブックマーク・データ２０１から構成される。一つのブックマーク・データ２０１は、１つのヘッダー部２０２と複数のブックマーク部２０３で構成されている。
【００２０】
ヘッダー部２０２の構成項目は、ブックマーク・データ２０１に付けた名称を記述する“テーマ名”、ブックマークを登録した日付を記述する“登録日”、ブックマークを更新した日付を記述する“更新日”、ブックマークを最終にアクセスした日付を記述する“最終アクセス日”、などである。
【００２１】
ブックマーク部２０３の構成項目は、登録したコンテンツ・ページのタイトルを記述する“コンテンツ・ページ・タイトル”、登録したコンテンツ・ページのURLを記述する “URL”、コンテンツ・ファイル１１２ｂのコンテンツ本文のＵＲＬを記述する“内部ＵＲＬ”、コンテンツ・ページを登録した日付を記述する“登録日”、コンテンツ・ページを更新した日付を記述する“更新日”、コンテンツ・ページを最終にアクセスした日付を記述する“最終アクセス日” などである。
【００２２】
図３は、ストリング型ＷＥＢブラウザ画面の表示例である。ブックマーク画面３００は、検索文字列入力部３０１とブックマーク検索表示部３０２と検索ボタン３０３と、テーマ名入力部４０１と開始ボタン４０２と登録ボタン４０３と削除ボタン４０４と終了ボタン４０５と、ストリング型ブックマーク・ブラウザ表示部５０１から構成されている。
【００２３】
ブックマーク検索表示部３０２には、初期状態では、ブックマーク・ファイル１１２ａに既に登録されているブックマーク・データ２０１のヘッダー部２０２に記述されているテーマ名とそのブックマーク・データ２０１に登録されているブックマーク部２０３の件数とが、表示される。なお、表示されているテーマ名を選択すると、そのテーマ名と共にブックマーク・データ２０１を構成しているブックマーク部２０３のタイトルがテーマ名の下部に列挙表示される。
【００２４】
図４は、ストリング型ブックマークのテーマ名登録画面の例で、図３の状態から、遷移している。テーマ名入力部４０１に、テーマ名“ブラウザの文字化け”４０１ａを入力して、開始ボタン４０２を押すと、ブックマーク検索表示部３０２の表示内容３０２ａには、“登録開始”の表示とブックマーク部２０３の件数“０”とテーマ名“ブラウザの文字化け”の表示とコンテンツ・ページが“なし”の表示がされる。同時に、テーマ名を含むヘッダー部２０２が作成されて、保持される。
【００２５】
図５は、ストリング型ＷＥＢブラウザでの検索エンジンの表示例で、図４の状態から、遷移している。ストリング型ブックマーク・ブラウザ表示部５０１には、検索エンジン５０１ａが表示されている。検索エンジンの種類は、インターネットで利用可能なものであれば、特に制限は無い。表示されている検索エンジンの検索文字列入力部５０１ｍに、所望の検索語や検索条件を入力して、検索ボタン５０１ｎを押すことで、インターネット検索が開始される。
【００２６】
図６は、ストリング型ＷＥＢブラウザでのページ検索結果の表示例で、図５の状態から、遷移している。図５の検索エンジンに検索文字列“ブラウザ”５０１ｐを入力して検索して得た検索結果一覧５０１ｂが、ストリング型ブックマーク・ブラウザ表示部５０１に表示される。
【００２７】
図７は、ストリング型ブックマークの登録例で、図６の状態から、遷移している。図６の検索結果一覧５０１ｂから、ブックマーク操作者により選択されたコンテンツ・ページ“Web Server 文字化け問題” をＷＥＢサイトから取得して、ＷＥＢブラウザ１０７により、コンテンツ・ページの内容５０１ｃが表示されている。この表示状態で、ブックマーク操作者により登録ボタン４０３が押されると、ブックマーク検索表示部３０２の表示内容は、“登録開始”が、“登録作業中”に変更されて、テーマ名“ブラウザの文字化け”に付属表示されているコンテンツ・ページの件数が“０”から “１” に変更されて、コンテンツ・ページ “なし”の部分が“Web Server文字化け問題” に変更されて、表示内容３０２ｂとなる。
【００２８】
図８は、ストリング型ブックマークの１つを削除する画面例である。ブックマーク検索表示部３０２には、テーマ名“ブラウザの文字化け”の下に３件のコンテンツ・ページのタイトルが列挙表示されいる。列挙表示されたタイトルの中から“Unicodeとブラウザの関係”３０２ｃが選択された状態を示している。この後に、削除ボタン４０４が押されると、該当するブックマーク部２０３が削除される。
【００２９】
図９は、ストリング型ブックマーク検索結果を表示した例である。検索文字列入力部３０１に入力された検索文字列“ＷＥＢサーバ  文字化け”３０１ａで、ブックマーク・ファイル１１２ａとコンテンツ・ファイル１１２ｂを検索すると、検索結果３０２ｄが、ブックマーク検索表示部３０２に、表示される。たとえば、テーマ名“ブラウザの文字化け”のブックマーク・データ２０１からは、２件のコンテンツ・ページ“文字化けの種類”、“ＷＥＢサーバ・ソフトのバグ”がヒットして、テーマ名“ＷＥＢサーバの設定方法”からは、２件のコンテンツ・ページ“ＷＥＢサーバ設定”、“ＷＥＢサーバ構築ツール” がヒットして、テーマ名“ Unicodeについて”からは、１件のコンテンツ・ページ“文字化けの理由”がヒットして、その検索結果３０２ｄを表示している。
【００３０】
図１０は、図３から図７までの作業の流れを含んだストリング型ブックマーク登録のフローチャートである。
（１）ブックマーク呈示手段１０４は、ブックマーク・ファイル１１２ａの全てのテーマ  名を取得して、表示する。（ステップＳ１０１）
（２）ブックマーク操作者が、ブックマーク検索表示部３０２のテーマ名を選択したら、  ステップ（５）に進む。表示されたテーマ名が選択されずに、テーマ名入力部４０１に  、テーマ名の文字列が入力されて、ブックマーク操作者により、開始ボタン４０２が押  されたら、新規のテーマ名が登録されると判断する。（ステップＳ１０２）
（３）ストリング型ブックマーク登録手段１０１は、前記ブックマーク操作者によりテー  マ名入力部４０１に入力されたテーマ名を取得する。（ステップＳ１０３）
（４）ストリング型ブックマーク登録手段１０１は、前記テーマ名を含むヘッダー部２０  ２を作成して、保持して、前記テーマ名をブックマーク検索表示部３０２に表示してス  テップ（７）に進む。（ステップＳ１０４）
（５）ストリング型ブックマーク登録手段１０１は、ブックマーク操作者により、前記表  示されたテーマ名の中から選択されたテーマ名を取得する。（ステップＳ１０５）
（６）前記取得されたテーマ名と同じテーマ名を持つコンテンツ・データ・タイトルを取  得するために、ストリング型ブックマーク登録手段１０１は、前記テーマ名をキーにし  て、ヘッダー部２０２を参照して、前記キーと一致するテーマ名を持つブックマーク・  データ２０１のコンテンツ・データ・タイトルをブックマーク検索表示部３０２に、表  示する。ストリング型ブックマーク登録手段１０１は、選択されたテーマ名の・ページ  ・タイトルを表示する。（ステップＳ１０６）
（７）ブックマーク変更削除処理（後述）を実施する。（ステップＳ１１０）
（８）ＷＥＢブラウザ１０７は、ブックマーク操作者が指定したＵＲＬを用いて、ＷＥＢ  サイトからコンテンツ・ページを取得して表示する。（ステップＳ１２０）
（９）ブックマーク操作者により登録ボタン４０３が押されたら、表示されたコンテンツ  ・ページをブックマークすると判断して、（ステップＳ１２１）ストリング型ブックマ  ーク登録手段１０１は、前記表示しているコンテンツ・ページのＵＲＬとタイトルを含  むブックマーク部２０３を作成して、保持して、ブックマーク検索表示部３０２に前記  タイトルを表示させる。（ステップＳ１２２）
（１０）ブックマーク登録検査手段１０２は、ブックマーク部２０３に記述される内部Ｕ  ＲＬと前記テーマ名をＡＮＤキーにして、ブックマーク・ファイル１１２ａのＵＲＬと  テーマ名を参照して、前記キーと一致するＵＲＬとテーマ名が存在ない場合には、（１  １）に進む。前記キーと一致するＵＲＬとテーマ名が存在する場合には、ブックマーク  登録済みの検査結果を報告して、ブックマーク検索表示部３０２に表示する。（ステッ  プＳ１２３）
（１１）ブックマーク操作者により、削除ボタンが押された場合は、コンテンツ・ページ  登録手段１０１は、直近に保持したブックマーク部２０３を破棄する。
（１２）未検索のコンテンツ・ページを検索する場合には、（７）に戻る。（ステップＳ  １２４）コンテンツ・ページの検索が終了したら、ストリング型ブックマーク登録手段  １０１は、保持しているヘッダー部２０２とブックマーク部２０３から、ブックマーク  ・データ２０１を作成して、ブックマーク・ファイル１１２ａに登録する。（ステップ  Ｓ１２５）
（１３）ストリング型ブックマーク登録手段１０１は、ブックマーク部の内部ＵＲＬに記  録場所を記述して、保持しているコンテンツ・ページを、コンテンツ・ファイル１１２  ｂに登録して、終了する。ステップＳ１２６）
【００３１】
図１１は、ストリング型ブックマーク更新処理のフローチャートである。
（１）呈示されているテーマ名の一つが選択された状態で表示されている。（ステップＳ      １１１）
（２）ブックマーク操作者により、開始ボタン４０２が押されたら、次のステップに進む      。開始ボタン４０２が押されなければ、ステップ（４）に進む。（ステップＳ１１      ２）
（３）テーマ名変更手段１０５は、テーマ名入力部４０１の文字列を用いて、ヘッダー部      ２０２を作成して、ブックマーク・ファイル１１２の選択されたテーマ名のヘッダ      ー部２０２を更新する。（ステップＳ１１３）
（４）ブックマーク操作者により、コンテンツ・ページ・タイトルが選択されたら、次の      ステップに進む。コンテンツ・ページ・タイトルが選択されなければ、終了する。      （ステップＳ１１４）
（５）削除ボタン４０４が押されたら、ブックマーク部が削除されると判断して、次のス      テップに進む。削除ボタン４０４が押されなければ、終了する。（ステップＳ１１      ５）
（６）コンテンツ・ページ削除手段１０６は、前記選択されたコンテンツ・ページ・タイ      トルを持つブックマーク部２０３を削除する。（ステップＳ１１６）
（７）コンテンツ・ページ削除手段１０６は、前記選択されたコンテンツ・ページ・タイ      トルの本文データをコンテンツ・ファイル１１２ｂから削除する。（ステップＳ１      １７）
【００３２】
図１２は、ストリング型ブックマーク検索処理のフローチャートである。
（１）入力された検索文字列を取得する。（ステップＳ２０１）
（２）ブックマーク・ファイル１１２ａに、未検索のブックマーク・データ２０１がある  場合には、（３）に進む。（ステップＳ２０２）全てのブックマーク・データ２０１を  検索完了した場合には、ストリング型ブックマーク検索手段１０３は、保持している検  索結果の内容を表示して、終了する。（ステップＳ２０３）
（３）ストリング型ブックマーク検索手段１０３は、未検索のブックマーク・データ２０  １を１つ選択する。（ステップＳ２０４）
（４）ストリング型ブックマーク検索手段１０３が、この選択されたブックマーク・デー  タ２０１から検索文字列を含んだテーマ名を検索できない場合は、次に進む。（ステッ  プＳ２０５）検索文字列が含まれるテーマ名を検索した場合は、そのテーマ名に含れる  コンテンツ・ページを検索結果として保持する。（ステップＳ２０６）
（５）選択したブックマーク・データ２０１に、未検索のブックマーク部２０３がある場  合には、（６）に進む。選択したブックマーク・データ２０１の全てのブックマーク部  ２０３を検索完了した場合には、（２）に戻る。（ステップＳ２０７）
（６）未検索のブックマーク部２０３を１つの取得する。（ステップＳ２０８）
（７）ストリング型ブックマーク検索手段１０３は、前記取得したブックマーク部２０３  から検索文字列を含んだコンテンツ・ページ・タイトルを検索できない場合は、次に進  む。（ステップＳ２０９）検索文字列が含まれるコンテンツ・ページ・タイトルを検索  した場合は、そのタイトルを含んでいるコンテンツ・ページを検索結果として保持する  。（ステップＳ２１０）
（８）ストリング型ブックマーク検索手段１０３は、ブックマーク部２０３の内部ＵＲＬ  をキーにして、コンテンツ・ファイル１１２ｂから、前記キーに対応したコンテンツ・  ページの本文を取得する。（ステップＳ２１１）
（９）ストリング型ブックマーク検索手段１０３は、前記取得した本文から、前記検索文  字列が検索できない場合は、ステップ（５）に戻る。（ステップＳ２１２）前記検索文  字列を含んだ本文を検索した場合は、コンテンツ・ページ本文を含んでいるコンテンツ  ・ページを検索結果として保持して、ステップ（５）に戻る。（ステップＳ２１３）
【００３３】
図１３は、１つのストリング型ブックマーク・データの例である。たとえば、図８で表示されていたテーマ名“ブラウザの文字化け”のブックマーク・データの内容は、ヘッダー部２０２ａが、テーマ名“ブラウザの文字化け”、登録日“20050131”、更新日“00000000”、最終アクセス日“20050203”であり、ブックマーク部２０３ａの一つは、タイトル“Web Server文字化け問題”、ＵＲＬ“http://www.tomcat.com/mojibake/index.html”、内部ＵＲＬ“http://int.cdb.jp/10001.html”、登録日“20050131”、更新日“20050203”、最終アクセス日“20050203”
である。
【００３４】
なお、実施事例で説明したコンテンツ・ページには、テキスト・コンテンツや静止画コンテンツ、映像コンテンツ、音声音楽コンテンツなどが含まれる。
【００３５】
以上詳しく説明したように、本発明によれば、ブックマーク登録者が情報の内容を吟味判断して、ブックマークを登録しているので、情報検索の結果が絞り込まれて、情報検索の内容が充実して、検索結果のヒット率が高く、ブックマーク検索の精度が向上した。また、ブックマーク操作者が、ブックマークを文字列検索することで、登録したブックマーク情報を全て検索対象にするので、ブックマークの分類などの特別な関連情報を追加する作業が不要となり、ブックマーク登録作業の負荷が軽減された。また、全てのブックマークを文字列検索してコンテンツ・ページを表示閲覧させるので、目視で選択することによる見落としが無くなり、検索結果の品質が向上した。また、ブックマークを選択する作業が不要となるので、検索作業の負荷が軽減されて、作業能率が向上した。
【図面の簡単な説明】
【００３６】
【図１】ストリング型ブックマーク機能を備えたＷＥＢブラウザの構成図
【図２】ストリング型ブックマークのデータ構造図
【図３】ストリング型ＷＥＢブラウザ画面の表示例
【図４】ストリング型ブックマークのテーマ名登録の例
【図５】ストリング型ＷＥＢブラウザでの検索エンジンの表示例
【図６】ストリング型ＷＥＢブラウザでのページ検索結果の表示例
【図７】ストリング型ブックマークの登録例
【図８】ストリング型ブックマークの１つを削除する画面例
【図９】ストリング型ブックマーク検索結果の例
【図１０】ストリング型ブックマーク登録のフローチャート
【図１１】ストリング型ブックマーク更新処理のフローチャート
【図１２】ストリング型ブックマーク検索処理のフローチャート
【図１３】１つのストリング型ブックマーク・データの例
【符号の説明】
【００３７】
１００  ストリング型ブックマーク機能を備えたＷＥＢブラウザ
１０１  ストリング型ブックマーク登録手段
１０２  ストリング型ブックマーク登録検査手段
１０３  ストリング型ブックマーク検索手段
１０４  ブックマーク呈示手段
１０５  テーマ名変更手段
１０６  コンテンツ・ページ削除手段
１０７  ＷＥＢブラウザ
１１０  記憶手段
１１２ａ  ブックマーク・ファイル
１１２ｂ  コンテンツ・ファイル
２０１  ブックマーク・データ
２０２  ヘッダー部
２０３  ブックマーク部
３００  ブックマーク画面
３０１  検索文字列入力部
３０２  ブックマーク検索表示部
３０３  検索ボタン
４０１  テーマ名入力部
４０２  開始ボタン
４０３  登録ボタン
４０４  終了ボタン
４０５  削除ボタン
５０１  ストリング型ブックマーク・ブラウザ表示部
【図１】
2006252313.tif 000003
【図２】
2006252313.tif 000004
【図３】
2006252313.tif 000005
【図４】
2006252313.tif 000006
【図５】
2006252313.tif 000007
【図６】
2006252313.tif 000008
【図７】
2006252313.tif 000009
【図８】
2006252313.tif 000010
【図９】
2006252313.tif 000011
【図１０】
2006252313.tif 000012
【図１１】
2006252313.tif 000013
【図１２】
2006252313.tif 000014
【図１３】
2006252313.tif 000015